(57)【要約】【課題】小型軽量で平常時にコンパクトに保管することができ、非常時には流木や瓦礫から収容された身体を確実に保護することができる収容カプセルを提供する。【解決手段】収容カプセル１は、ヒトＭの身体を伸ばした状態で収容できる内部空間Ｓを有する細長形状のケーシングを備えており、そのケーシング２は、長手方向の一方に向けて先細に形成されると共に、長手方向の他方に向けて先細に形成され、ケーシング２は内部空間Ｓに身体を収容するための収容口５と、該収容口を防水状態で閉じる蓋体６とを備えており、この収容カプセルは水に浮くように構成されている。すなわち、収容カプセル１は、全体の比重が１より小さく設定され、海水等に容易に浮上することができる。ケーシング２は、内部空間に身体を載置する床板１０を備えており、この床板とケーシング２の外周面との間に液体が注入される空間として、導水室１３が形成されている。【選択図】図４
2007331660.tif 000002
【特許請求の範囲】
【請求項１】
身体を伸ばした状態で収容できる内部空間を有する細長形状のケーシングを備える収容カプセルであって、
該ケーシングは、その長手方向の一方に向けて先細に形成されると共に、長手方向の他方に向けて先細に形成され、
前記ケーシングは、前記内部空間に身体を収容するための収容口と、該収容口を防水状態で閉じる蓋体とを備えており、
前記収容カプセルは水に浮くように構成されていることを特徴とする収容カプセル。
【請求項２】
前記ケーシングは、前記内部空間に身体を載置する床面を備えており、該床面と前記ケーシングの外周面との間に液体が注入される空間が形成されていることを特徴とする請求項１に記載の収容カプセル。
【請求項３】
前記蓋体は、透明材料から形成されていることを特徴とする請求項１または２に記載の収容カプセル。
【請求項４】
前記収容カプセルは、全長が２〜３メートル、全幅は０．８〜１メートル、全高は０．８〜１メートルの細長形状であることを特徴とする請求項１から３のいずれかに記載の収容カプセル。
【請求項５】
前記ケーシングは、強化プラスチックと発泡プラスチックとを積層して形成されていることを特徴とする請求項１から４のいずれかに記載の収容カプセル。
【請求項６】
前記ケーシングは、上ケーシング部と下ケーシング部とから構成され、該上ケーシング部と下ケーシング部は防水状態に連結されていることを特徴とする請求項１から５のいずれかに記載の収容カプセル。
【発明の詳細な説明】
【技術分野】
【０００１】
本発明は、ヒトが身体を伸ばした状態、すなわち仰向けに寝た状態で収容できる収容カプセルに係り、特に、津波や水害等の災害時に流木や瓦礫からヒト等の身体を保護することができる収容カプセルに関する。
【背景技術】
【０００２】
従来、この種の救命具として、例えば特許文献１に記載の津波防災シェルターは、厚さ６ｍｍの鋼板、正方形一辺８０ｃｍ１８枚と正三角形一辺８０ｃｍ８枚、合計２６枚をアーク溶接し、球形状に組み上げた防災シェルターであり、このシェルターは大人４名を収容し津波の力を直接人体に及ばさない構造となっている。
【０００３】
また、特許文献２に記載の津波又は洪水に対する防災用として地上設置される浮遊型シェルタは、水密状の内部スペースを備えた略球殻形状の中空構造体に対して、開閉扉によって水密に閉塞可能な出入口を設ける一方、該中空構造体の底部にバランス用マスを設けると共に、該中空構造体の天壁部分に換気口を設け、該内部スペースに人を収容して該出入口を閉塞せしめた状態で水上に浮遊し得るようにしている。
【特許文献１】特開２００６−４６０４９号公報
【特許文献２】特開２００４−３２２９３９号公報
【発明の開示】
【発明が解決しようとする課題】
【０００４】
ところで、前記特許文献１に記載の津波防災シェルターは、構成が大掛かりで重量が大きく、平常時に保管するために多大なスペースが必要であった。また、前記特許文献２に記載の浮遊型シェルタは、人が座った状態で固定されるため、多大な内部スペースが必要で大型であり、前記の津波防災シェルターと同様に保管時にコンパクトに保管することができないといった問題点があった。さらに、前記の津波防災シェルターや浮遊型シェルタは大掛かりであり、搬送が容易でなく、室内に容易に搬入することができない問題点があった。
【０００５】
本発明は、このような問題に鑑みてなされたものであって、その目的とするところは、小型で軽量に形成され、平常時にコンパクトに保管することができる収容カプセルを提供することにある。また、津波や水害等の非常時には、小型軽量であっても流木や瓦礫との衝突で破損する恐れが少なく、収容されたヒト等の身体を確実に保護することができる収容カプセルを提供することにある。さらに、容易に搬送でき、必要に応じて室内に容易に搬入することができる収容カプセルを提供することにある。
【課題を解決するための手段】
【０００６】
前記目的を達成すべく、本発明に係る収容カプセルは、身体を伸ばした状態、すなわちヒト等の身体を真直ぐに伸ばした状態で収容できる内部空間を有する細長形状のケーシングを備える収容カプセルであって、このケーシングは、その長手方向の一方に向けて、すなわち身体の伸張方向、例えば頭部方向に先細に形成されると共に、長手方向の他方に向けて、すなわち身体の伸張方向、例えば脚部方向に先細に形成され、前記ケーシングは、前記内部空間に身体を収容するための収容口と、該収容口を防水状態で閉じる蓋体とを備えており、この収容カプセルは水に浮くように構成されていることを特徴とする。すなわち、この収容カプセルは、全体の比重が１より小さく設定され、たとえ内部空間に水が進入しても浮上するように構成されている。
【０００７】
前記のごとく構成された本発明の収容カプセルは、そのケーシングの形状が身体を伸ばした状態で収容できる内部空間を有するため、全長が例えばヒトの身長よりわずかに大きい寸法に設定され、全幅はヒトの身体の幅よりわずかに大きい幅に設定され、全高はヒトの身体の胸幅よりわずかに大きい高さに設定され、カプセルの形状を細長形状とすることができる。そして、収容口から内部空間に身体を入れ、収容口を蓋体で防水状態に閉じることで身体を伸ばした状態で収容することができる。このため、収容カプセルを小型で軽量に形成でき、非常時以外の保管のスペースを少なくすることができる。また、ケーシングの長手方向の両端部を先細に流線型に形成しているため、津波等の水害による災害時に、勢いよく流される流木や瓦礫等との接触を少なくすることができ、ケーシングの破壊の可能性を低下させることができる。そして、収容カプセル内に水が進入しても沈没することはない。さらに、小型軽量で細長形状であるため容易に搬送でき、必要に応じて室内に容易に搬入して避難することができる。
【０００８】
本発明に係る収容カプセルにおいて、前記ケーシングは、内部空間に身体を載置する床面を備えており、該床面と前記ケーシングの外周面との間に水等の液体が注入される空間が形成されていることが好ましい。津波や水害でこの収容カプセルが水に浮いているとき、身体が載置される床面の下方に水が注入され、重心が下方になることで収容カプセルの揺れを防止でき、収容カプセルを上下反転することなく安定させることができる。このため、収容されたヒトは身体を伸ばした状態、すなわち仰向けに寝た状態で静養することができる。
【０００９】
また、本発明に係る収容カプセルの好ましい具体的な態様としては、前記ケーシングの収容口を防水状態で閉じる蓋体は、透明材料から形成されていることが好ましい。このように構成された収容カプセルは、収容口からヒトが内部空間内に収容され、収容口を蓋体で防水状態に閉じることで、非常時に水難を避けることができる。また、収容されたヒトは仰向けの状態で横になり、透明材料で形成された蓋体を通して外部の状況を知ることができる。このため、津波等の災害時に、一時的に発生する強烈な衝撃を回避したあとは蓋体を開けて避難することも可能となる。
【００１０】
本発明の収容カプセルは、例えば全長が２〜３メートル、全幅は０．８〜１メートル、全高は０．８〜１メートルの細長形状であることが好ましく、小型に形成することができ、軽量で小型に形成できるため容易に移動することができ、車庫や物置の壁面等に立て掛けて収納することができる。また、非常時以外の保管のスペースを少なくすることができる。
【００１１】
さらに、本発明に係る収容カプセルの好ましい具体的な他の態様としては、前記ケーシングは、強化プラスチックと発泡プラスチックとを積層して形成されていることを特徴としている。特に、強化プラスチックと発泡プラスチックと強化プラスチックとを３層に積層し、発泡プラスチックを強化プラスチックで挟むように構成することが好ましい。このように構成された収容カプセルは、津波等により流木や瓦礫がケーシングに激突しても、強化プラスチックで衝撃を受けて発泡プラスチックで緩衝するため、内部に収容されたヒトを安全に保護することができる。
【００１２】
さらに、本発明の収容カプセルでは、前記ケーシングは、上ケーシング部と下ケーシング部とから構成され、該上ケーシング部と下ケーシング部は防水状態に連結されていることが好ましい。この構成によれば、収容カプセルを構成するケーシングを上ケーシング部と下ケーシング部に分けて形成することができるため、射出成型が可能で製造が容易となってコストダウンを達成することができる。
【発明の効果】
【００１３】
本発明の収容カプセルは、小型、軽量で細長形状に形成することができ、平常時の保管を容易とすることができる。また、津波や水害等の非常時には内部空間内に身体を伸ばした状態、すなわち仰向けの状態で収容することができ、細長形状であるため水と共に流された流木や瓦礫等との衝突を回避でき、津波や洪水等の水害から身体を確実に保護することができる。さらに、コストの安い収容カプセルを提供することができる。また、小型軽量で細長であるため、必要に応じて収容カプセルを室内に容易に搬入することができ、介護施設等に入所している老人や病院等に入院している患者等を容易に避難させることができる。
【発明を実施するための最良の形態】
【００１４】
以下、本発明に係る収容カプセルの一実施形態を図面に基づき詳細に説明する。図１は、本実施形態に係る収容カプセルの平面図、図２は、その正面図、図３は図２の左側面図、図４は、図３のＡ−Ａ線に沿う一部を省略した断面図、図５は、図４のＢ−Ｂ線に沿う断面図、図６は蓋体を閉じるロック機構の動作状態を示す要部断面図、図７は収容カプセルの蓋体の動作状態を示す要部断面図である。
【００１５】
図１〜５において、本実施形態の収容カプセル１は、身体を伸ばした状態、すなわちヒトＭが仰向けで寝た状態で収容できる内部空間Ｓを有する細長形状のケーシング２を備えている。すなわち、ケーシング２は全長が２〜３メートル程度に設定され、全幅は０．８〜１メートル程度で、全高は０．８〜１メートル程度の細長の平面視あるいは側面視で楕円形状に形成されており、身体の伸張方向の一方に向けて、すなわち頭部方向に先細に形成されると共に、身体の伸張方向の他方に向けて、すなわち脚部方向に先細に形成されている。すなわち、ケーシング２の長手方向の両端部が先細となっている。このように、ケーシング２は中間部の太さに対して長さが２〜３倍程度の細長形状とされており、全体としてカヌー型の流線型の形状をしている。ケーシング２は基本的にはプラスチックで形成されており、上ケーシング３と下ケーシング４とから構成され、これらは防水状態に連結されている。そして、前記の内部空間Ｓは収容されたヒトＭが内部で簡単な操作を行うことができる広さに設定されている。
【００１６】
下ケーシング４は上方に開口する舟型の容器状をしており、上ケーシング３は下ケーシング４の開口を覆う形状をしている。上ケーシング３は下ケーシング４と比較して、わずかに扁平状となっている。上ケーシング３および下ケーシング４は、基本的にはプラスチックで形成され、それらの外周の壁面は強化プラスチック層Ｐ１と発泡プラスチック層Ｐ２と強化プラスチック層Ｐ３とを積層した３層構造に形成されており、発泡プラスチック層Ｐ２を強化プラスチック層Ｐ１とＰ３で挟んでいる（図４の拡大部参照）。外周側の強化プラスチック層Ｐ１としては、耐衝撃性に優れた繊維強化プラスチック（ＦＲＰ）が好ましく、特にガラス繊維や炭素繊維で強化したＡＢＳ樹脂等のプラスチックが最適である。
【００１７】
中間の発泡プラスチック層Ｐ２としては、例えば緩衝性に優れた発泡スチロール樹脂等が好ましい。また、内周側の強化プラスチック層Ｐ３としては、強化ポリエチレン樹脂等が好ましい。このように３層に積層されたケーシング２を構成する壁面は、外部から加わる衝撃を外側のＦＲＰの強化プラスチック層Ｐ１で受け、中間の発泡プラスチック層Ｐ２で吸収するため破壊が防止され、内部空間Ｓに収容されたヒトＭの身体に強烈な衝撃が加わることを防止できる。
【００１８】
本実施形態では、中央の発泡プラスチック層Ｐ２の厚さは２０〜２５ｍｍ程度に形成され、表面側の繊維強化プラスチック層Ｐ１の厚さは２〜５ｍｍ程度、内面側の強化プラスチック層Ｐ３の厚さは同様に２〜５ｍｍ程度に設定されている。したがって、３つの層が積層されたプラスチック層の厚さは合計で２４〜３５ｍｍ程度が好ましく、表面側と内面側の厚さが３ｍｍで、中央の厚さが２４ｍｍ、合計で３０ｍｍ程度が最適である。なお、積層されたプラスチック層は３層に限られるものでなく、２層あるいは４層以上でもよい。
【００１９】
このように構成された上ケーシング３と下ケーシング４とは前記したように防水状態に連結されている。すなわち、下ケーシング４の上端周囲の数センチメートルの幅の重ね代と上ケーシング３の下端周囲の数センチメートルの幅の重ね代とが重ね合わされ、例えばレーザ光を照射することで両者の重ね合わせ部を防水状態に溶着して連結する。また、防水性を有する接着剤を用いて両者を防水状態に連結してもよい。この他に上ケーシング３と下ケーシング４との重ね合わせ部間に防水パッキングが挟まれた状態でタッピングビス等を用いて連結してもよい。このように上ケーシング３と下ケーシング４とは漏水しないように強固に連結され、一体化されている。なお、上ケーシング３と下ケーシング４とを連結するとき、重ね合わさない状態で溶着して連結してもよい。
【００２０】
上ケーシング３にはケーシング２内の内部空間ＳにヒトＭの身体を収容できるような入り口として機能する収容口５が形成され、この収容口を開閉する蓋体６が装着されている。蓋体６は上ケーシング３に蝶番７で連結されており、蓋体６と上ケーシング３とは蓋体をロック機構９で閉じたときに両者の防水状態が保たれるように防水パッキング８等が設置されている。ロック機構９は図６の要部断面図に示されるように、フック９ａを有するロックレバー９ｂをリンク９ｃで連結し、蓋体６のハンドル６ａと共締めされた係合片９ｄに引掛け、ロックレバー９ｂにより係合片９ｄを引き寄せることで蓋体６の下端辺が防水パッキング８を押圧変形させ、蓋体６を上ケーシング３に密着させる。蓋体６は耐衝撃性に優れ、透明なポリカーボネイト樹脂で形成されると好ましい。特に、熱線を反射する処理が施されているとより好ましい。なお、ロック機構９は蓋体６の先端部の１個所に設置されているが、蓋体の周囲の複数個所に設置すると密封性を高めることができ、収容カプセル１内への水の進入を防止することができて好ましい。
【００２１】
ケーシング２を構成する下ケーシング４には、平坦な床面を構成する床板１０が形成され、この床板は収容されるヒトＭの体重を保持できるように十分な強度を備えている。床板１０と下ケーシング４とは一体的に形成されている。床板１０は身体を安定させて載置させるものであり、前記のように３層のプラスチック層を積層したプラスチック板にキャンピングマット状の内張りを施している。そして、床板１０には収容されるヒトＭを固定する手段として、固定ベルト１１（図５参照）が強固に連結固定されている。固定ベルト１１は固定するヒトの身体の例えば腹部を固定するもので、身体の太さに応じて長さ調整のできるものが好ましい。また、自動車等で用いられるような３点式のシートベルト状のものを用いてもよい。なお、床板として、例えばポリエチレン板の厚さが３ｍｍ程度のものにキャンピングマット状の内張りを施したものを用いてもよい。また、床板を発泡樹脂等で構成し、身体に合わせた凹部を一体的に形成してもよい。
【００２２】
下ケーシング４の床板１０の下方には、複数のリブが突出形成され、これらのリブの下面に溶着された底板１２により導水室１３が形成されている。底板１２には、この導水室１３に水を注入するための複数の外水導入孔１３ａが形成されている。この外水導入孔１３ａは、収容カプセル１が水害等で浮かんだ状態のとき、下ケーシング４の床板１０の下方に形成された導水室１３に水を導入して重量を増やし、バランスをとることにより収容カプセル１が上ケーシング３を上にした状態で浮くことができるように設定されている。また、収容カプセル１の底部の重量を大きくすることにより、収容カプセル１の揺れを和らげることができるように設定されている。外水導入孔１３ａは外部からの水の進入が可能で、水の進入に伴ってエアーを排出すると共に、導入された水の排出が不能な逆止弁１３ｂ（図４参照）を備えていると好ましい。導水室１３は複数の区画に分割されており、リブに形成された連通部１０ａ（図５参照）により複数の区画は連通し、注入された水（液体）が充満するように構成されている。
【００２３】
なお、導水室は図８に示される導水室１３Ａのようにリブで区切られず、扁平な１つの空間で構成してもよい。そして、前記の実施形態では、外水導入孔は２つ有する構成としたが、底板１２Ａに直径が３０ｍｍ程度の９〜１０数個程度の導水孔１２ａを開け、多数の導入孔から外水を導入するように構成してもよい。このように構成すると、水害時には導水室内に瞬時に水が入り、水害が収まり収容カプセルを陸地に引き上げたときには導入された水は必然的に排出されるメリットがある。このように導水室は、収容カプセルのケーシングの下方に重りとなるように水を保持できれば、どのような構成でも用いることができる。また、図示していないが、導入された水を排水するための排水孔を設けてもよい。
【００２４】
このように構成された収容カプセル１は、全体として軽量のプラスチックで形成されており、導水室１３に水が導入された状態で、収容カプセル全体の比重が１より小さくなるように設定されている。このため、内部空間ＳにヒトＭが収容された状態で、万一、収容カプセル１のケーシング２に亀裂等が生じ、内部空間に水が進入しても収容カプセル１自体は沈没することがなく、浮遊できるように構成されている。具体的には、この収容カプセル１の外周側の強化プラスチック層Ｐ１を形成するＡＢＳ樹脂の比重は１．４程度であり、内周側の強化プラスチック層Ｐ３を形成する強化ポリエチレン樹脂の比重は０．９２〜０．９４程度であり、中間の発泡プラスチック層Ｐ２を形成する発泡スチロール樹脂の比重は発泡率にもよるが０．２〜０．５程度であり、収容カプセル１の全体の比重は０．５〜０．８程度となっている。このため、内部空間Ｓ内に、例えば海水が進入して満たされても、収容カプセル１は沈没しないように構成されている。
【００２５】
なお、発泡プラスチック層を形成する樹脂として、発泡ウレタン樹脂等のプラスチックを用いることもできる。また、収容カプセルの全体の比重は前記の範囲に限られるものでなく、比重が１より小さければ適宜設定することができる。さらに、収容カプセルを大型、標準型、小型等、複数のタイプとするとき、例えば、体重の大きいヒトを収容する大型の収容カプセルの場合は発泡樹脂の発泡率を高めて比重を小さくする等、適宜変更することが好ましい。このようにケーシング２を構成する発泡樹脂の発泡率を調整することにより、この収容カプセル１が水に浮いたときの喫水線の位置を設定することができる。
【００２６】
上ケーシング３に開閉可能に支持された蓋体６には外気導入孔１５が備えられている。この外気導入孔１５は、図６に示されるように、蓋体６を貫通するパイプが内部空間に突出して封着され、このパイプにキャップ１５ａがねじ込まれている。外気挿入孔１５は、密閉された収容カプセル１の内部空間ＳにヒトＭが収容されたときに、外部から空気を取り入れることで呼吸できるように構成されている。この外気導入孔１５は内部に封止用のキャップ１５ａを備えており、パッキングを挟んでキャップ１５ａを閉じることで、収容カプセル１内への水の進入を防止できるように構成されており、キャップ１５ａを開けることで外気を収容カプセル１内に取り込むことができる構成となっている。また、図示していないが、キャップの脱落を防止するため、蓋体６とキャップとを鎖等で連結すると好適である。
【００２７】
収容カプセル１の内部には先端方向、すなわちヒトＭが収容されたとき頭部が位置する端部に携帯用の酸素ボンベ１６が設置されている。また、この酸素ボンベ１６と並べた状態で発煙筒１７が設置されている。酸素ボンベ１６や発煙筒１７は収容されたヒトＭが手を伸ばしたときに届く範囲に設置されると好適である。酸素ボンベ１６は収容カプセル１が水中に沈んで外気導入孔１５が閉じられているときに操作することで、内部に収容されたヒトが呼吸できるように設置されている。また、発煙筒１７は、例えば収容カプセル１が洋上に流され、救援隊のヘリコプター等に合図を送るときに使用する。さらに、収容カプセル１内に、図示していないが非常用の食料や飲料水を備えると好ましい。
【００２８】
収容カプセル１の長手方向の一方の端部にはアンカー１８が固定されている。このアンカーは収容カプセル１を引いて移動するとき等に有効である。なお、アンカーはケーシング２の長手方向の両端部に固定してもよい。収容カプセル１の下ケーシング４の底面には４つの安定脚１９が突出して形成されている。この安定脚１９は下ケーシング４を形成するときに一体的に形成され、収容カプセル１を平坦な場所に置くときに安定させることができ有効である。また、収容カプセル１の先端部の２個所と後端部の２個所に取っ手２０が突出して固定されており、収容カプセルを運搬するときや、車の荷台に固定するとき等に有効である。また、収容カプセル１を立て掛けて収納するとき、転倒防止に有効となる。
【００２９】
前記の如く構成された本実施形態の収容カプセルの動作について以下に説明する。収容カプセル１は基本的にプラスチックで軽量に構成され、全体として細長形状に形成されている。このため、平常時には壁面等に立て掛けて保管することができ、多大な保管スペースを必要としない。また、小型で軽量に形成でき、射出成型等で大量生産が可能であるため、収容カプセルのコストダウンを達成することができる。さらに、この収容カプセル１は小型、軽量であるため、２人乃至は１人で容易に移動が可能である。このため、車庫内や宅地内に容易に置くことができ、非常時には搭乗が素早く行えるメリットがある。また、収容カプセル１が２〜２．５メートル程度の標準型の場合、軽トラックの荷台に４〜５個程度積載可能であり、配備性に優れた収容カプセルとなっている。
【００３０】
非常時には、津波や洪水等の水害の予報が発令されると、例えば立て掛けた状態から水平状態とし、部屋の床面等に安定脚１９を接触させて水平状態に安定させる。老人や身体に障害のあるヒトを収容する場合は、この収容カプセル１をベッド等の傍らに設置する。蓋体６を図７に示されるように開き、開かれた収容口５から内部空間ＳにヒトＭを仰向けに収容し、固定ベルト１１で身体を収容カプセル１の床板１０に固定する。あるいは自力で内部空間Ｓ内に入り、上を向いた状態で横になり、自身の体を固定ベルト１１で固定する。なお、図４では固定ベルトを示していないが、腹部や腰部を固定することが好ましい。また、ヒトＭは、ひざをやや折り曲げた状態を示しているが、ひざを伸ばして身体を真直ぐに伸ばすことが可能である。
【００３１】
このように、細長形状のケーシング２を備える収容カプセル１内では、ヒトＭは座った状態や立った状態でなく仰向けで横になることができ、身体を真直ぐに伸ばして必要に応じてひざを曲げることも可能となり、自由な体勢をとることができる。そして、内部から蓋体６を閉じ、ロック機構９のロックレバー９ｂを操作して蓋体６を密封状態に閉じる。この状態では、収容されたヒトＭは透明の蓋体６から外の状態を見ることができる。そして、収容カプセル１は外部にほとんど突起のない状態となる。必要に応じて、キャップ１５ａを外して外気導入孔１５を開き内部空間内の空気を入れ替える。
【００３２】
津波や水害等が発生し、水が押し寄せると、この実施形態の収容カプセル１は、比重が１より小さく設定されているため、素早く海水等の水に浮くことができる。図４に示す水面Ｈは収容カプセル１が水面に浮いた状態を示しており、喫水線が上ケーシング３と下ケーシング４との重ね合わせ部より下方になることが好ましい。このため、津波の場合は、収容カプセル１はコンクリート片や鉄類のような底を流れるものと衝突することが防止され、収容カプセル１の破損や破壊を防止できる。そして、この収容カプセル１は先端部および後端部が先細に形成されており、浮いた状態で流木や瓦礫等が直角に近い角度で衝突する可能性が少ない。すなわち、流れに沿って流木等や収容カプセル１が流されるため、先細の先端部や後端部で流木等と斜めに接触するため、強烈な衝撃が収容カプセル１に加わることが防止される。
【００３３】
また、収容カプセル１は前記のように突起が少ない形状となっている。そして、収容カプセル１のケーシング２を構成するプラスチックは衝撃に強い繊維強化プラスチック層Ｐ１と、衝撃を緩和する発泡プラスチック層Ｐ２、および内面側の強化プラスチック層Ｐ３から形成されている。このため、収容カプセル１のケーシング２の破壊や破損の可能性を低下させることができ、収容されたヒトＭを確実に保護することができる。また、収容されたヒトＭの身体は固定ベルト１１で固定されているため、内部空間Ｓ内での移動が阻止され、収容カプセル１の内面にぶつかって怪我等を負うことが防止される。
【００３４】
この収容カプセル１は水に浮いた状態では下ケーシング４の外水導入孔１３ａから床板１０の導水室１３に水が導入される。このため、収容カプセル１は下ケーシング４が上ケーシング３より重くなり、蓋体６が上を向いた状態で浮上することができ、収容されたヒトＭは透明の蓋体６から外部の状況を容易に判断することができる。そして、津波等の強烈な水の襲来が収まったときにキャップ１５ａを開いて外気を内部空間に導入し、安全が確認され、収容カプセル１が安定した状態となったことを確認できたときにロック機構９のロックレバー９ｂを解除して蓋体６を開け、外部へ脱出する。このように津波等の襲来による水の衝撃を一時的に回避することで収容されたヒトＭの保護を達成することができる。
【００３５】
なお、前記した実施形態では、収容カプセル１のケーシング２に固定された取っ手２０はケーシングから突出した状態で固定されたものを示しているが、図９に示される取っ手２０Ａのように、例えばケーシング２の上ケーシング３に窪み２１を形成し、この窪みを渡すように棒状の握り２２をねじ等を用いて防水状態に固定することでケーシング２から突出しない状態の取っ手２０Ａとするように構成してもよい。また、蓋体６を開けるためのハンドル６ａも、取っ手２０Ａと同様に突出しないように構成すると好ましい。このように構成すると、水害発生時に瓦礫等が収容カプセル１の取っ手２０Ａや、ハンドルに激しくぶつかることが無くなり、収容カプセル１の破損要因を少なくすることができて好ましい。
【００３６】
本発明の他の実施形態を図１０，１１に基づき詳細に説明する。図１０，１１はそれぞれ本発明に係る収容カプセルの他の実施形態を示す要部斜視図である。なお、この実施形態は前記した実施形態に対し、収容カプセルのケーシングの形状が異なることを特徴としている。そして、ケーシングおよびケーシング内部の構成については、前記の実施形態と実質的に同等なので詳細な説明は省略する。
【００３７】
図１０ａに示される収容カプセル１Ａのケーシング２Ａの形状は、基本的には前記した実施形態のケーシングと同様に、平面視および側面視が細長の楕円形状のカヌーに近い形状をしており、長手方向の一方に向けて先細に形成されると共に、長手方向の他方に向けて先細に形成されており、長手方向の両端部が先細の抵抗の少ない流線型の形状となっている。また、図１０ｂに示される収容カプセル１Ｂのケーシング２Ｂの形状は、中間部が太い直径の円柱状部となっており、長手方向の両端部がそれぞれ円錐台状の先細に形成されている。このように構成された収容カプセル１Ａ，１Ｂでは、ケーシング２Ａ，２Ｂは先細で流線型となっているため、水害時に流木や瓦礫との激突が防止され、収容カプセルの破損や破壊が防止され、収容されたヒトＭの安全を確保することができる。
【００３８】
つぎに、図１１ａに示される収容カプセル１Ｃのケーシング２Ｃの形状は、中間部が太い直径の円柱状部となっており、長手方向の両端部がそれぞれ円錐形状で先細に形成されている。さらに、図１１ｂに示される収容カプセル１Ｄのケーシング２Ｄの形状は、中間部が太い直径の円柱状部となっており、長手方向の両端部がそれぞれ放物線の回転体のように先細に形成されている。このように構成された収容カプセル１Ｃ，１Ｄでは、ケーシング２Ｃ，２Ｄは前記のケーシングと同様に先細で流線型となっているため、水害時に流木や瓦礫との激突が防止される。この結果、収容カプセルの破損や破壊が防止され、収容されたヒトＭの安全が確保され、水害の被害を回避することができる。
【００３９】
このように、図１０，１１に示される実施形態においても、収容カプセル１Ａ，１Ｂ，１Ｃ，１Ｄは、ヒトＭの身体を伸ばした状態、すなわち横にした状態で収容できる内部空間Ｓを有する細長形状のケーシング２Ａ，２Ｂ，２Ｃ，２Ｄを備えており、基本的にプラスチックで軽量に形成されているため、災害等が発生していない平常時に壁面等に立てかける等で容易に保管することができる。また、本実施形態の収容カプセルは津波等の災害が予測されると、迅速に準備して収容カプセル内に退避することができる。さらに、この収容カプセルは構造が簡単で容易に製造することができるため、低コストで提供することができる。
【００４０】
つぎに、図１２を参照し、収容カプセルを構成する下ケーシングの他の実施形態を説明する。図１２は下ケーシングの他の実施形態の要部断面図である。前記した実施形態では、下ケーシング４の床板１０が平坦で、この床板の下方に空間を置いて底板１２が溶着され、床板の下方に導水室１３が形成されているが、この実施形態は、下ケーシングの湾曲した底面の上方に、別部材の床板が溶着されて内部空間Ｓ内の一部に導水室が形成されていることを特徴としている。
【００４１】
図１２において、収容カプセルのケーシングの一方を構成する下ケーシング４Ｂは、外周の楕円状円弧面で底面が形成され、この底面の上方にヒトＭの身体を載置する平坦の床板１０Ｂが固着されている。床板１０Ｂは下ケーシング４Ｂと別に形成され、底面から一体的に突出形成された複数のリブの上に載置され、床板１０Ｂの外周が下ケーシング４Ｂに防水状態に溶着されている。この構成により、床板１０Ｂの下方に導水室１３Ｂが形成され、外水導入孔１３ｂから水が注入できる構成となっており、導水室１３Ｂは収容カプセルの内部空間の一部に形成されている。そして、下ケーシング４Ｂの下方の導水室１３Ｂに水が注入され、収容カプセルの重心が下に下がることで収容カプセルの揺れが防止され、上下が安定した状態で収容カプセルを水上に浮上させることができる。この実施形態の下ケーシング４Ｂでは、外周面を一体的に湾曲させることができ、接合面がないため瓦礫等が衝突したとき破損の可能性を低下することができる。
【００４２】
なお、前記した各実施形態では、収容カプセルのケーシングは２つのケーシング３，４と蓋体６により形成される例を示したが、図示していないが身体を収容する内部空間を確保するための骨組みとして、フレーム材を備えるように構成してもよい。この場合、フレーム材は上ケーシングと下ケーシングとの重ね合わせ部に沿って備えるとともに、長手方向と直角な断面に沿って備えることが好ましい。このように、収容カプセルの内側にフレーム材を備える構成にすると、ケーシングの強度を増強することができ、収容カプセルの非常時における破壊や破損をさらに回避することができる。
【００４３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、内部空間内に非常用の電源を備え、上ケーシングの上部等に設置した信号灯を点灯させるように構成してもよい。また、ＧＰＳ等の位置情報システムを設置して水害等で収容カプセルが漂流したときに位置を確認することができるように構成してもよい。
【００４４】
さらに、収容カプセルが浮遊しているときのバランスを保ち、揺れを緩和するための錘として収容カプセル内に水を導入する例を示したが、この例に限らず単に重錘を付加するように構成してもよい。この場合も、重錘を付加した状態で収容カプセルの比重が１より小さく水に浮くことができるように構成される。収容カプセルのケーシングを構成するプラスチックとして、強化プラスチックと発泡プラスチックおよび強化プラスチックの３層構造の例を示したが、強化プラスチックと発泡プラスチックの２層構造でもよいことは勿論である。
【００４５】
身体を固定する固定手段として１組の固定ベルトで腰部を固定する例を示したが、２組の固定ベルトで身体の胸部や脚部を固定するように構成してもよい。また、収容カプセルを安定させる安定脚の変わりに、収容カプセルを移動させやすくするためのキャスターを固定するように構成してもよい。
【００４６】
収容カプセルの内部空間に身体を収容するための収容口を蓋体で閉じるロック機構は、収容カプセルの内部から操作する例を示したが、外部からも開閉できるように構成してもよい。この場合は、身体に障害のあるヒトを収容するときや、収容されたヒトが気絶しているときに容易に救助することができる。また、蓋体はケーシングの長手方向の中心より左半分の面積を閉じる例を示したが、中心に対して対称の蓋体を形成し、より大きい開口面積を有するように形成してもよい。さらに、蓋体は横方向にヒンジや蝶番を有する構成とし、細長形状のケーシングに対して横方向に開くように構成してもよい。
【００４７】
さらに、本発明の収容カプセルのケーシングをオレンジ色等の目立つ色に着色することで、例えば漂流中のカプセルを容易に発見することができて好ましい。本発明の収容カプセルは長手方向の一端側のみにアンカーを有する構成としたが、長手方向の両端にアンカーを固定し、複数の収容カプセルを連結するように構成することもできる。このようにケーシングの両端に固定されたアンカーで複数の収容カプセルを連結すると、個体で漂流することがなく、救助作業時に発見されやすいと共に、一時に多数のヒトを収容することができて好ましい。
【産業上の利用可能性】
【００４８】
本発明の活用例として、本発明の収容カプセルを用いて全長、全幅、全高の小さい収容カプセルを形成することができ、このような小型の収容カプセルを形成することによって子供や幼児を収容する用途にも適用できる。
【００４９】
また、本発明の他の活用例として、本発明の収容カプセルを船舶等の海難事故の救命具として用いることができる。すなわち、救命胴衣や救命ボート等の代わりに本発明の収容カプセルを用いることができる。本発明の収容カプセルは保温性に優れたケーシングで収容された身体を保護でき、収容された身体の体温低下を防止できるため、体温低下で死に至ることを防止できる。特に、比較的大型で、乗組員の少ないタンカー等の船舶の場合、本発明の収容カプセルを人数分だけ装備すると好ましい。
【図面の簡単な説明】
【００５０】
【図１】本発明に係る収容カプセルの一実施形態の平面図。
【図２】本発明に係る収容カプセルの一実施形態の正面図。
【図３】図２の左側面図。
【図４】図３のＡ−Ａ線に沿う一部を省略した断面図。
【図５】図４のＢ−Ｂ線に沿う断面図。
【図６】蓋体を閉じるロック機構の動作状態を示す要部断面図。
【図７】収容カプセルの蓋体の動作状態を示す要部断面図。
【図８】下ケーシングの変形例を示す要部断面図。
【図９】（ａ）は取っ手の変形例を示す平面図、（ｂ）は（ａ）のＣ−Ｃ線に沿う要部断面図。
【図１０】本発明に係る収容カプセルの他の実施形態を示す要部斜視図。
【図１１】本発明に係る収容カプセルのさらに他の実施形態を示す要部斜視図。
【図１２】本発明に係る収容カプセルを構成する下ケーシングの他の実施形態を示す要部断面図。
【符号の説明】
【００５１】
１，１Ａ，１Ｂ，１Ｃ，１Ｄ：収容カプセル、２：ケーシング、３：上ケーシング、４，４Ａ，４Ｂ：下ケーシング、５：収容口、６：蓋体、７：蝶番、８：防水パッキング、９：ロック機構、１０，１０Ａ，１０Ｂ：床板（床面）、１１：固定ベルト（固定手段）、１２，１２Ａ：底板、１３，１３Ａ，１３Ｂ：導水室（空間）、１２ａ，１３ａ，１３ｂ：外水導入孔、１５：外気導入孔、Ｍ：ヒト（身体）、Ｐ１：繊維強化プラスチック層、Ｐ２：発泡プラスチック層、Ｐ３：強化プラスチック層、Ｓ：内部空間
【図１】
2007331660.tif 000003
【図２】
2007331660.tif 000004
【図３】
2007331660.tif 000005
【図４】
2007331660.tif 000006
【図５】
2007331660.tif 000007
【図６】
2007331660.tif 000008
【図７】
2007331660.tif 000009
【図８】
2007331660.tif 000010
【図９】
2007331660.tif 000011
【図１０】
2007331660.tif 000012
【図１１】
2007331660.tif 000013
【図１２】
2007331660.tif 000014